(57)【要約】【課題】注目すべき撮影条件等の情報の見逃しを少なく、有効に提示することができる撮影装置を提供することを目的とする。【解決手段】カメラ１が所定の姿勢に設定されると、撮像部２により被写体を撮像して表示部４に表示される画像に対して、動き検出部３ｂにより動きを有する画像部分を検出する。表示部４に表示される画像中に、動きを有する画像部分から撮影時に注目すべき情報等の提示用情報を吹き出しで吹き出すように合成表示する。【選択図】図１
2012084999.tif 000002
【特許請求の範囲】
【請求項１】
被写体を撮像する撮像部と、
上記撮像部により撮像された画像を表示する表示部と、
撮影時における各種の情報を取得する情報取得部と、
上記表示部に表示される上記画像から、上記被写体における動きを有する画像部分を検出する動き検出部と、
上記情報取得部で取得した上記情報に基づいて生成された提示用情報を吹き出しで囲った吹き出し画像を生成する吹き出し生成部と、
上記画像に対して、上記動きを有する画像部分から上記吹き出し画像が吹き出すように合成した合成画像を上記表示部で表示する制御を行う表示制御部と、
を有することを特徴とする撮影装置。
【請求項２】
上記撮影装置が所定の時間、所定の姿勢に設定された後に、上記表示制御部は上記合成画像を上記表示部で表示する制御を行うことを特徴とする請求項１に記載の撮影装置。
【請求項３】
上記情報取得部は、上記撮影時における上記撮影装置により設定される撮影条件を決定する複数種類の情報を取得することを特徴とする請求項２に記載の撮影装置。
【請求項４】
上記動き検出部は、上記動きを有する画像部分を検出した場合、上記画像中における上記画像部分が分離して存在する数を算出し、上記表示制御部は、算出された上記数に応じて、上記表示部において同時に表示する上記吹き出し画像の数を制限することを特徴とする請求項２に記載の撮影装置。
【請求項５】
さらに、被写体における顔部分を検出する顔検出部を有し、上記表示制御部は、上記顔検出部により検出された顔部分を他の部分よりも優先して、上記吹き出し画像が吹き出すように表示する制御を行うことを特徴とする請求項４に記載の撮影装置。
【請求項６】
さらに、上記表示制御部は、上記表示部で上記合成画像として表示する場合の上記吹き出し画像における上記提示用情報を時間的に変更するように制御することを特徴とする請求項４に記載の撮影装置。
【請求項７】
さらに、上記情報取得部で取得された上記複数種類の情報に基づいて、上記吹き出し画像として表示する場合の上記提示用情報を決定する情報決定部を有し、上記吹き出し生成部は、上記情報決定部により決定された上記提示用情報を用いて上記吹き出し画像を生成することを特徴とする請求項３に記載の撮影装置。
【請求項８】
さらに、上記動き検出部により検出した動きを有する画像部分の周囲においてローコントラストの画像領域としてのローコントラスト領域が有るか否かを検出するローコントラスト検出部を有し、上記吹き出し生成部は、上記ローコントラスト検出部により検出されたローコントラスト領域に配置するための上記吹き出し画像を生成することを特徴とする請求項３に記載の撮影装置。
【請求項９】
さらに、上記表示部で表示した上記吹き出し画像を形成する上記提示用情報を経時的に記録する情報記録部を有し、上記情報決定部は、上記情報取得部で取得された上記複数種類の情報と共に、上記情報記録部に記録された過去の提示用情報とに基づいて、上記表示部で表示する上記吹き出し画像に用いる上記提示用情報を決定することを特徴とする請求項７に記載の撮影装置。
【発明の詳細な説明】
【技術分野】
【０００１】
本発明は、撮影時の情報を吹き出しを用いて表示する撮影装置に関する。
【背景技術】
【０００２】
近年、種々の機能を備えたデジタルカメラ等の撮影装置が広く普及している。また、表示部に各種の情報を表示する撮影装置も提案されている。  
例えば、従来例としての特開２００５−２６０７９８号公報には、表示部にスルー画像を表示し、その余白部分に撮影済み画像の撮影情報、例えば画像サイズ、シャッター速度、絞り値等や、最近撮影した数駒分の画像の撮影情報を表示することにより、ユーザに有効な情報を提供している。
【発明の概要】
【発明が解決しようとする課題】
【０００３】
しかしながら、上記従来例においては、シャッター速度、絞り値が表示されている値をそれぞれ読み取ることにより、各撮影条件を把握することができるが、撮影者に対して注目すべき撮影条件の情報を有効に提示する機能が低い。  
換言すると、上記従来例においては、表示部における所定の位置に、それぞれの撮影条件の値が列挙されて表示されるため、撮影者は注目すべき情報がどれであるかを把握しにくくなり、注目すべき撮影条件等の情報を見逃す可能性が高い。  
このため、撮影時において撮影者が注目すべき撮影条件等の情報を提示用情報として提示した場合、見逃すことを少なくでき、有効に提示できるような撮影装置が望まれる。  
本発明は上述した点に鑑みてなされたもので、注目すべき情報等を提示用情報として提示した場合、見逃しを少なく、有効に提示することができる撮影装置を提供することを目的とする。
【課題を解決するための手段】
【０００４】
本発明の撮影装置は、被写体を撮像する撮像部と、
上記撮像部により撮像された画像を表示する表示部と、
撮影時における各種の情報を取得する情報取得部と、
上記表示部に表示される上記画像から、上記被写体における動きを有する画像部分を検出する動き検出部と、
上記情報取得部で取得した上記情報に基づいて生成された提示用情報を吹き出しで囲った吹き出し画像を生成する吹き出し生成部と、
上記画像に対して、上記動きを有する上記画像部分から上記吹き出し画像が吹き出すように合成した合成画像を上記表示部で表示する制御を行う表示制御部と、
を有することを特徴とする。
【発明の効果】
【０００５】
本発明によれば、注目すべき情報等の提示用情報の見逃しを少なく、有効に提示することができる。
【図面の簡単な説明】
【０００６】
【図１】図１は本発明の第１の実施形態の撮影装置としてのカメラの全体構成を示すブロック図。
【図２】図２はカメラの正面側の外観を示す斜視図。
【図３】図３は本実施形態におけるカメラ制御の処理手順を示すフローチャート。
【図４】図４は図３における一部をより詳細な処理を行うようにしたフローチャート。
【図５】図５は図３及び図４の処理手順おいて、動きを有する画像部分に吹き出し画像を表示する動作説明図。
【図６】図６は第１の実施形態の第１変形例における一部の処理手順を示すフローチャート。
【図７】図７は第１の実施形態の第２変形例における一部の処理手順を示すフローチャート。
【発明を実施するための形態】
【０００７】
以下、図面を参照して本発明の実施形態を説明する。  
（第１の実施形態）
図１に示すように本発明の第１の実施形態の撮影装置としてのカメラ１は、被写体を撮像する撮像部２と、撮像部２により撮像した撮像画像に対して画像処理を行う画像処理部３ａを備えた制御部３とを有する。  
また、このカメラ１は、画像処理部３ａにより撮像画像に対する画像処理して生成された表示用の画像を表示する表示部４と、画像処理部３ａにより撮影画像に対して圧縮等の画像処理して生成された撮影画像を記録する記録部５と、操作者（ユーザ）が撮影指示を行うレリーズボタン等を備えた操作部６とを有する。  
上記画像処理部３ａは、記録部５に記録された撮影画像に対する再生の指示操作がされた場合には、再生の指示操作がされた圧縮された撮影画像を伸張等の画像処理を行い、表示部４に表示する。また、この画像処理部３ａは、撮影画像を生成する場合、色調整や、コントラストの補正等の画像処理も行う。
【０００８】
また、このカメラ１は、操作部６の他に、ユーザが指などでタッチすることにより、各種の指示操作や選択操作などを行うタッチパネル部７と、ユ−ザにより把持されたカメラ１の撮像又は撮影状態の姿勢を検出する姿勢検出部としての加速度センサ８とを有する。また、この加速度センサ８は、撮影時等において、カメラ１の手ぶれの検出を行う手ぶれセンサの機能を有する。  
上記操作部６による指示操作の信号、タッチパネル部７によるタッチ操作による信号、加速度センサ８による検出信号は、制御部３に入力される。制御部３は、入力された信号に基づいて、対応する制御動作を行う。  
また、このカメラ１は、ユーザによる撮影時の撮影条件又は撮影状況に対応する各種の情報を取得する各種のセンサからなる情報取得部９を有する。
【０００９】
この情報取得部９は、撮影時のカメラ１の時間情報（日時の情報を含む）を取得する時間取得部９ａと、音声の情報を取得する音声取得部９ｂと、温度の情報を取得する温度取得部９ｃとを有する。  
また、この情報取得部９は、撮影時におけるカメラ１の水深又は高度の情報を取得する水深・高度取得部９ｄと、撮影時におけるカメラ１の位置情報を取得する位置取得部９ｅと、カメラ１が設定されている絞り値、シャッター速度、フォーカス距離等のカメラ設定情報を取得するカメラ情報取得部９ｆとを有する。  
位置取得部９ｅは、地球上の現在位置を調べるためのグローバル・ポジショニング・システム (Global Positioning System：ＧＰＳと略記)を構成するＧＰＳ受信機を位置センサとして備えている。このＧＰＳ受信機により取得した位置の情報（緯度、経度の情報）から、地名に変換するための地図データベースを、例えば記録部５内に備えていても良い。
【００１０】
また、情報取得部９は、取得した各種の情報を制御部３に出力すると共に、例えば制御部３を介して情報記録部１０に記録することができる。この情報記録部１０は、情報取得部９により取得した各種の情報を、記録部５に記録する撮影画像と関連つけて記録するようにしても良い。また、記録部５内において、情報取得部９により取得した各種の情報を記録しても良い。  
上記制御部３は、撮像部２により撮像された被写体の画像に対して、動きを有する画像部分を検出する動き検出部３ｂの機能を有する。なお、この動き検出部３ｂは、動きを有する画像部分を検出した場合、その画像部分が分離して存在する数を算出する。
【００１１】
また、この制御部３は、上記情報取得部９により取得した情報に基づいて表示部４で提示するための提示用情報を生成する。本実施形態においては、制御部３は、生成した提示用情報を吹き出し（又は吹き出し枠）で囲った画像としての吹き出し画像を生成する吹き出し生成部３ｃの機能を有する。つまり、吹き出し生成部３ｃは、提示用情報と、この提示用情報を囲う吹き出しとからなる吹き出し画像を生成する。
【００１２】
そして、以下に説明するように、動きを有する画像部分から、生成した吹き出し画像を吹き出させるように表示し、ユーザに対して注目すべき情報としての提示用情報を有効に提示できるようにする。
【００１３】
この制御部３は、吹き出し生成部３ｃにより生成された吹き出し画像を、撮像部２により撮像され、表示部４で表示する画像（スルー画像とも言う）に合成して合成画像として表示する制御を行う表示制御部３ｄの機能を有する。
【００１４】
つまり、この表示制御部３ｄは、スルー画像に対して、上記動きを有する画像部分から吹き出し画像が吹き出すように合成した合成画像を、表示部４で表示するように制御する。  
このため、表示制御部３ｄは、合成画像を表示する制御を行う合成画像表示制御部の機能を有する。また、表示制御部３ｄは、表示部４で合成画像を表示する場合、連続して表示するスルー画像において同時に表示する吹き出し画像の数を制限する。また、表示制御部３ｄは、表示部４で合成画像を表示する場合、吹き出し画像の表示時間を変更したり、吹き出し画像における提示用情報の表示時間を変更したりする。なお、吹き出し画像における提示用情報の内容を時間的に変更しても良い。  
また、ユーザは、表示部４で同時に表示する吹き出し画像の数を設定したり、吹き出し画像を表示する場合の表示時間を設定することもできる。ユーザは、例えばタッチパネル部７から、表示部４において同時に表示する吹き出し画像の数の設定や、表示時間や、表示部４で同時に又は経時的に表示する吹き出し画像の内容（つまり、吹き出し内で表示する提示用情報）の設定を行うことができる。
【００１５】
また、上記制御部３は、撮影画像に被写体の顔部分が存在するか否かを検出する顔検出部３ｅの機能を有する。  
制御部３は、顔部分を検出した場合には、顔部分から吹き出しが吹き出すように表示するための吹き出し画像を生成する。つまり、撮影時におけるスルー画像に吹き出し画像を合成する場合、顔部分を他の部分よりも優先して吹き出し画像が吹き出すような表示を行うのに利用する。  
また、本実施形態の制御部３は、情報取得部９により取得した情報から、又は該情報を加工した情報に基づいて、提示用情報を決定又は設定する（提示用）情報決定部３ｆの機能を有する。
【００１６】
この情報決定部３ｆが提示用情報を決定又は設定する場合、取得した各種の情報における提示を優先する順位付けした設定又はプログラムや、撮影条件に応じて実際に提示内容の優先順位を付けたプログラムに従った処理等に基づいて提示用情報を決定又は設定するようにしても良い。  
この他に、制御部３は、吹き出し画像を配置するための領域として、動きを有する画像部分の周囲におけるローコントラスト（ローコンと略記）の領域としてローコン領域を検出するローコン検出部３ｇの機能を有する。  
そして、表示制御部３ｄは、動きを有する画像部分から提示用情報を吹き出しを用いた吹き出し画像を、スルー画像中に上書きして配置する場合、その吹き出し画像をローコン領域を優先して配置する。ローコン領域を検出できない場合には、例えば動きを有する画像部分の上部側など（その画像部分の周囲）に吹き出し画像を配置して合成画像を生成する。
【００１７】
図２は、カメラ１の外観を示す。カメラ１の略箱形形状のケース１１の中央付近には、撮像部２を構成する撮影レンズ２ａを取り付けたレンズ鏡筒が配置され、撮影レンズ２ａの結像位置に図示しない撮像素子が配置されている。撮影レンズ２ａと撮像素子とにより撮像部２が形成される。撮影レンズ２ａの斜め上方付近には、フラッシュ撮影するフラッシュ発光装置１２が設けてある。  
また、ケース１１の上面には撮影の指示操作を行うレリーズボタン６ａが配置されている。なお、カメラ１における背面側には、表示部４を形成する液晶ディスプレイが設けてあり、ユーザは、表示部４に表示される撮像画像（スルー画像）を観察して撮影操作等を行う。また、上記タッチパネル部７は、表示部４にタッチセンサを設けて形成されている。
【００１８】
このような構成の撮影装置としてのカメラ１は、被写体を撮像する撮像部２と、上記撮像部２により撮像された画像を表示する表示部４と、撮影時における各種の情報を取得する情報取得部９と、上記表示部４に表示される上記画像から、上記被写体における動きを有する画像部分を検出する動き検出部３ｂと、上記情報取得部９で取得した上記情報に基づいて生成された提示用情報を吹き出しで囲った吹き出し画像を生成する吹き出し生成部３ｃと、上記画像に対して、上記動きを有する上記画像部分から上記吹き出し画像が吹き出すように合成した合成画像を上記表示部４で表示する制御を行う表示制御部３ｄと、を有することを特徴とする。  
次に図３のフローチャートを参照して本実施形態のカメラ１によるカメラ制御の処理手順を説明する。
【００１９】
カメラ１の電源が投入されると、カメラ１の制御部３はカメラ１の各部の動作を制御するカメラ制御の動作を開始する。  
最初のステップＳ１において制御部３は、このカメラ１が撮影モードの設定又は撮影モードが選択されているか否かの判定を行う。撮影モードの設定又は選択に該当する場合には、次のステップＳ２において制御部３は、被写体を撮像部２により撮影モードで撮影するために撮像動作を開始する（撮影時の動作と見なす）。  
また、この撮像動作の開始に伴って、ステップＳ３において情報取得部９における時間取得部９ａは、時間情報を取得する。また、音声取得部９ｂ等の他の取得部も各種の情報を取得する。
【００２０】
また、ステップＳ４においてカメラ情報取得部９ｆは、カメラ１における各時間における撮影条件を決定する絞り値、シャッター速度、フォーカス距離等の設定情報（カメラ設定情報）を取得する。  
また、ステップＳ５において制御部３は、加速度センサ８からの姿勢情報を取得する。  
また、ステップＳ６において制御部３は、撮像部２により取得した画像（撮像画像）に対して画像処理を行い、表示部４で表示する各フレームの画像を生成し、表示部４でこの画像（スルー画像）を動画として表示する。
【００２１】
また、ステップＳ７において制御部３（の動き検出部３ｂ）は、各フレームの画像に対して隣接するフレーム間の時間間隔、又は数フレーム間の時間間隔で画像間における動き検出を行う。このように動き検出を行う場合、検出対象の２つの画像における共通部分を抽出し、共通部分の画像領域において、どの画像部分に相対的な動きがあるか否かを検出する。また、動きを検出した場合、その動き量の方向と、動き量の大きさを検出する。  
次のステップＳ８において制御部３は、加速度センサ８からの姿勢情報を取得し、所定の姿勢に設定されたか否かを判定する。  
本実施形態において制御部３は、カメラ１が所定の時間（後述する図５の図示例の場合には５秒）、殆ど固定された所定の姿勢に設定された場合に、吹き出し画像を生成し、生成した吹き出し画像を表示部４で表示する吹き出し表示モードで動作させるように制御する。
【００２２】
ステップＳ８において所定の姿勢に設定されていない判定結果の場合には、ステップＳ２０の処理に移り、吹き出し表示モードから（吹き出し画像を表示しない）通常の表示モードに切り替える。  
一方、所定の姿勢に設定されている判定結果の場合には、次のステップＳ９において制御部３（の動き検出部３ｂ）は、予め設定された時間において、閾値以上の動き（検出）有りか否かの判定を行う。  
動き有りの場合には次のステップＳ１０において制御部３（の吹き出し生成部３ｃ）は、動きが検出された画像部分に対して吹き出しを付けて表示するために吹き出し画像を生成する。  
さらにステップＳ１１において制御部３（の表示制御部３ｄ）は、表示部４で表示されるスルー画像に対して、ステップＳ１０で生成した吹き出し画像を合成して、合成画像を表示するように制御する。
【００２３】
次のステップＳ１２において制御部３は、ステップＳ１１の合成画像の表示後に、一定時間（後述する図５の例では１秒）が経過したか否かの判定を行う。一定時間が経過していない場合には、ステップＳ１１に戻り、表示部４は合成画像を継続して表示する。  
一方、一定時間が経過した場合には、次のステップＳ１３において制御部３は、撮影の操作がされたか否かを判定する。撮影の操作が行われない場合には、ステップＳ１６の処理に移る。  
撮影の操作がされた場合には、次のステップＳ１４において制御部３は、撮影の操作がされた時刻のスルー画像を撮影画像としてその画像データを記録部５に記録する。
【００２４】
また、次のステップＳ１５において制御部３は、この撮影画像を実際に撮影した際に設定されている絞り値等の撮影データ（撮影設定データ）をこの撮影画像に関連付けて記録部５又は情報記録部１０に記録する。次のステップＳ１６において制御部３は、吹き出し表示モード終了か否かの判定を行う。  
ユーザは、吹き出し画像を表示する吹き出し表示モードを終了したい場合には、タッチパネル部７等から終了の操作をする。吹き出し表示モードを終了する操作が行われた場合には、ステップＳ１の処理に戻る。  
一方、吹き出し表示モードを終了する操作が行われない場合には、ステップＳ９の処理に戻り、ステップＳ９−Ｓ１５の処理を続行する。
【００２５】
また、ステップＳ９において動きが検出されない場合には、ステップＳ１９の処理に移り、このステップＳ１９において制御部３は、所定時間が経過しているか否かの判定を行う。この所定時間の値は、ユーザが設定することができる。所定時間が経過していない場合には、ステップＳ９の処理に戻り、動き有りか否かの動作を行う。  
一方、ステップＳ８の処理後において動きが検出されない状態が所定時間、経過した場合には、ステップＳ２０の処理、つまり通常の表示モードに移る。  
ステップＳ２０において制御部３は、撮影の操作がされたか否かの判定を行う。撮影の操作がされない場合には、ステップＳ１の処理に戻り、撮影の操作がされた場合には、ステップＳ２１の処理に進む。ステップＳ２１において制御部３は、撮影の操作がされた時刻のスルー画像を撮影画像としてその画像データを記録部５に記録する。
【００２６】
また、次のステップＳ２２において制御部３は、この撮影画像を実際に撮影した際の撮影データをこの撮影画像に関連付けて記録部５又は情報記録部１０に記録する。このステップＳ２２の処理後にステップＳ１の処理に戻る。  
ステップＳ１において撮影モードでない判定結果の場合には、ステップＳ１７において制御部３は、再生モードの処理に移る。そして、再生モードにおいて再生の処理が行われる。また、ステップＳ１８に示すように制御部３は再生終了の操作がされたか否かを判定し、再生終了の操作がされない場合にはステップＳ１７の処理に戻り、再生終了の操作がされた場合にはステップＳ１の処理に戻る。  
なお、図４におけるステップＳ１０−Ｓ１１の処理として、図４に示すようにより詳細な処理を行うようにしても良い。
【００２７】
ステップＳ９により動き有りを検出した場合、図４のステップＳ１０−１に示すように、制御部３（の情報決定部３ｆ）は、取得された各種の情報から、現在の撮影条件に対応した提示用情報を決定（設定）する。  
次のステップＳ１０−２において制御部３は、動き有りの画像部分において顔検出部３ｅを用いて顔部分有りか否かを検出する。  
次のステップＳ１０−３において制御部３（のローコン検出部３ｇ）は、動き有りの画像部分の周囲におけるローコン領域を検出する。  
次のステップＳ１０−４において制御部３は、動き有りの画像部分における顔部分を優先して顔部分から吹き出すような（表示をするための）吹き出し画像を生成する。
【００２８】
そして、次のステップＳ１０−５において制御部３は、この吹き出し画像を、スルー画像における動き有りの画像部分の周囲のローコン領域（を優先するよう）に上書きして配置する。  
次のステップＳ１１−１において制御部３は、表示部４においてスルー画像における動き有りの画像部分に対して顔部分を優先して顔部分から吹き出すような吹き出し画像を合成した合成画像を表示する。  
次のステップＳ１１−２において制御部３は、吹き出し画像で表示した提示用情報を時間順（又は経時的）に、例えば情報記録部１０に時間情報を付けて記録する。この処理後に、ステップＳ１２の処理に進む。  
なお、顔が検出されない場合には、動き有りの画像部分における任意の部分から吹き出すように吹き出し画像を生成し、その吹き出し画像の表示を行うようにしても良い。
【００２９】
図５は、図３及び図４の動作説明図を示す。図３におけるステップＳ６の処理において、例えば図５の左上の画像Ｉａがスルー画像として表示部４で表示される。  
そして、ステップＳ６のスルー画像の表示状態のカメラ１の姿勢を、ユーザが例えば５秒間維持した場合には、ステップＳ８において所定の姿勢に設定されていると判定される。  
ステップＳ８におけるスルー画像が、図５の中央に示す画像Ｉｂであるとする。この画像Ｉｂは、画像Ｉａに対して中央付近の被写体の画像部分２１が、点線で示す位置から実線で示す位置まで相対的に動いている。  
この動きは、動き検出部３ｂによって検出され、ステップＳ９に示すように閾値以上に動いている、つまり動き有りと判定される。すると、次のステップＳ１０においてこの画像部分２１から吹き出すように表示するための吹き出し画像が生成される。なお、図５の例では、閾値を超える動き量を有する１つの画像部分２１のみを検出した例を示しているが、被写体に異存して閾値を超える動き量を有する２つ以上の画像部分を検出する場合もある。
【００３０】
また、図５の場合には、顔検出部３ｅにより動き有りの画像部分２１に対して顔部分が検出される。図５においては、［  ］により顔部分が検出された様子を示している。そして、表示部４において図４の画像Ｉａに対して吹き出し画像２２を追加して図５の中央に示す画像Ｉｂが合成画像として表示される。この画像Ｉｂにおいては、顔部分から吹き出すように吹き出し画像が表示される。また、この吹き出し画像により、例えば撮影する際に「手ぶれ注意」の主旨の提示用情報又はガイド用情報を提示する。  
ユーザは、動いている画像部分から、突然吹き出しが現れ、その吹き出し内には提示用情報が表示されるので、この提示用情報を見逃すこと（が殆ど）無く読み取る。そして、ユーザは、提示用情報を参考にして、以後の撮影の動作を行うようになる。図５の例では手ぶれが発生しないように注意して以後の撮影のための動作を行うことができる。
【００３１】
また、このように画像Ｉｂが一定時間（図５の具体例では１秒間）表示された後、ステップＳ９の処理に戻り、再び動き有無の判定が行われる。この場合には、画像Ｉｂからの相対的な動きの有無が判定される。  
そして、動き有りが検出されると、表示部４には図５の右側に示す画像Ｉｃが合成画像として表示される。この画像Ｉｃにおいても動きが有りと判定された画像部分２３から吹き出し画像２４が吹き出すように合成した合成画像となる。以後の動作も同様となる。  
また、ステップＳ９において、所定時間、経過しても動き有りが検出されない場合には、吹き出し表示モードから通常のスルー画像を表示する表示モードに移行するために、ステップＳ２０に移る。  
このように動作する本実施形態においては、表示部４に表示される被写体のスルー画像において、動きを有する被写体の画像部分から提示用情報が吹き出すように吹き出し画像で表示するようにしている。
【００３２】
このため、表示部４に表示されるスルー画像を観察しながら撮影を行おうとするユーザは、動きを有する被写体の画像部分から吹き出しが現れるため、その吹き出し内の提示用情報を見逃すこと無く、注目して読む。  
従って、本実施形態によれば、カメラ１を保持して撮影しようとするユーザに対して、撮影の際に注目又は注意すべき提示用情報を、ユーザが見逃すことを少なくできる状態で、有効に提示することができる。また、ユーザに対して、提示用情報を撮影を支援又はガイドするような情報として有効利用し易くできるように提示ができる。  
図６は、本実施形態の第１変形例における吹き出し表示モードでの処理手順の一部を示す。
【００３３】
図６のフローチャートは、図３におけるステップＳ９からステップＳ１１の一部を変更した処理となる。  
ステップＳ９において動き有りの判定結果の場合にはステップＳ３１において制御部３は、動き有りの画像部分の分離している数Ｎを算出する。次のステップＳ３２において制御部３は、この数Ｎが、吹き出し（画像）を同時に表示する吹き出しの設定数以上か否かを判定する。  
なお、この設定数は、予め３程度を上限として設定される。本変形例では、このように同時に表示する吹き出し（画像）の数（の上限）を制限している。  
上記ステップＳ３２の判定により数Ｎが設定数以上である場合には、ステップＳ３３ａにおいて制御部３は、設定数の吹き出し画像を生成する。そして、次のステップＳ３４ａにおいて制御部３は、表示部４においてスルー画像に、設定数の吹き出し画像を合成した合成画像を表示する。
【００３４】
一方、ステップＳ３２の判定により数Ｎが設定数未満の場合には、ステップＳ３３ｂにおいて制御部３は、数Ｎの吹き出し画像を生成する。そして、次のステップＳ３４ｂにおいて制御部３は、表示部４においてスルー画像に、数Ｎの吹き出し画像を合成した合成画像を表示する。ステップＳ３３ａ又はＳ３３ｂの処理の後、ステップＳ１２の処理に進む。  
本変形例によれば、同時に表示する吹き出し画像の数を予め設定した場合においても、動き有りの画像部分の数に応じて適切に表示することができる。また、同時に表示する吹き出し画像の数の上限を制限することにより、同時に表示する提示用情報の数が多くなり過ぎることを防止する。そして、ユーザが見逃す可能性が発生することを有効に防止できる。  
その他、第１の実施形態と同様の効果を有する。
【００３５】
図７は本実施形態の第２変形例における処理手順の一部を示す。本変形例は、例えば図４に示す処理手順において、一部を変更してステップＳ４１，Ｓ４２の処理を行うようにして、過去に提示した提示用情報を参照して、現在の提示用情報を決定するようにしたものである。  
図４に示したようにステップＳ９の処理において動き有りの場合には、図７のステップＳ４１に示すように制御部３は、情報記録部１０において、現在よりも設定時間前の過去の提示用情報が記録されているか否かを判定する。なお、情報記録部１０は、図４のステップＳ１１−２で示したように表示部４で表示された提示用情報を時間順（経時的）に記録する情報記録部を形成している。  
上記設定時間は、例えばユーザが任意に設定することができる。例えば１０秒を設定時間に設定しても良い。  
提示用情報が記録されている場合には、ステップＳ４２において制御部３は、過去の提示用情報と、現在取得した各種の情報から、現在の撮影条件に対応した提示用情報を決定する。この処理後に、ステップＳ１０−２に進む。
【００３６】
一方、ステップＳ４１の判定処理において、提示用情報が記録されていない場合には、ステップＳ１０−１の処理に移る。ステップＳ１０−１以後の処理は、図３又は図４で説明した処理と同様である。  
本変形例の場合には、過去に提示した提示用情報が存在する場合には、（設定時間以前の）過去の提示用情報と、現在取得した各種の情報とから、現在の撮影条件に対応した提示用情報を決定することができる。  
このため、提示用情報により撮影の設定を変更した方が良いような情報を提示用情報で提示（表示）した後、しばらく時間経過しても提示用情報に対応した設定の変更がユーザにより行われないような場合には、再び過去に提示した提示用情報又はこれに類似する提示用情報を吹き出し画像で提示するようにすることができる。
【００３７】
つまり、本変形例は、過去に提示した提示用情報と、その提示用情報に対するユーザによる設定時間まででの対応とを考慮して現在の撮影条件の場合において、より適切に提示することができると考えられる提示用情報を提示することができる。  
その他、第１の実施形態と同様の効果を有する。  
例えば、撮影時におけるシーンが夕方のようにあまり明るくない状態において、動きが検出された場合には、ステップＳ１０−１等を経て、絞り値がかなり小さい値に設定されている撮影条件の場合には、「絞り値を大きくして下さい。」又は、その撮影条件に対応して、「絞り値を〇値程度に設定して下さい。」という主旨の提示用情報を吹き出しを用いて提示する。
【００３８】
このように提示用情報を提示した後、再びステップＳ９において動き有りが検出された場合には、現在から設定時間以前における過去の提示用情報の有無を調べる。そのような過去の提示用情報が存在した場合には、その過去の提示用情報も参照することにより、現在取得した情報のみから現在の撮影条件に対応した提示用情報を決定するよりも、より適切と考えられる提示用情報を提示することができる。  
例えば、現在取得した情報が設定時間以前に取得した情報と殆ど同じ場合には、撮影条件をより適切に設定するように、上記絞り値に関する提示用情報をより頻繁に提示するようにできる。
【００３９】
なお、上述した実施形態等を部分的に組み合わせることにより、構成される異なる実施形態も本発明に属する。  
また、上述した実施形態において、複数の画像部分の動きを検出した場合には、動き量が大きい画像部分を優先して、その画像部分から吹き出し画像を吹き出すように表示部４で表示するようにしても良い。  
また、動きを検出した画像部分から吹き出し画像を吹き出すように表示部４で表示する他に、動き量が小さいまたは動きが検出されない場合においても所定サイズ以上の顔部分が検出された場合には、その顔部分から吹き出し画像を吹き出すように表示部４で表示するようにしても良い。  
また、上述した実施形態等において、提示用情報として、カメラ１の電池残量の情報を提示したり、温度情報を提示したり、水深又は高度の情報等を提示したりするようにしても良い。
【００４０】
このような工夫で、画面が賑やかになって、楽しい画像が得られるので、これをそのまま記録できるようにしてもよい。例えば、第１の実施形態における図３のステップＳ１４で説明したスルー画像の記録及びステップＳ１５で説明した撮影データの記録の他に、さらにスルー画像に各種の情報を含む吹き出し画像を合成した合成画像も記録できるようにしても良い。  
また、表示が単調であると注意を引かなくなるので、多様な表示が好ましく、様々な情報が出ることが望まれる。しかし、情報の種類を増やすと、電池の警告のように、緊急度の高いものから、絞り情報のように、アドバイス的なもの、温湿度情報のように、特に表示しなくても良いが、検出されるので表示したものなど、多岐にわたる。これを整理してわかり易く伝えるために、緊急度など先の分類に応じて、合成する吹き出しの大きさ、文字の大きさや色等を変更して表示してもよい。
【００４１】
なお、この発明の考え方によれば、状況によって生じる様々な情報をユーザーに伝えて機器の操作を促すので、画像再生時に、画面内に動く表示物に応じて、注目すべき機器操作用のインフォーメーションを合成表示するようにしてもよい。例えば、画面が明るすぎるとか、電池が減って来ました、という台詞を、動いている被写体が語るような工夫にも応用可能である。
【符号の説明】
【００４２】
１…カメラ、２…撮像部、３…制御部、３ａ…画像処理部、３ｂ…動き検出部、３ｃ…吹き出し生成部、３ｄ…表示制御部、３ｅ…顔検出部、４…表示部、５…記録部、６…操作部、７…タッチパネル部、８…加速度センサ、９…情報取得部、９ａ…時間取得部、９ｆ…カメラ情報取得部、２２，２４…吹き出し画像
【先行技術文献】
【特許文献】
【００４３】
【特許文献１】特開２００５−２６０７９８号公報
【図１】
2012084999.tif 000003
【図２】
2012084999.tif 000004
【図３】
2012084999.tif 000005
【図４】
2012084999.tif 000006
【図５】
2012084999.tif 000007
【図６】
2012084999.tif 000008
【図７】
2012084999.tif 000009